(57)【要約】【課題】複数の発光管アレイ型表示サブモジュールを横方向に接続した場合であっても、表示される画像を高画質に維持することができる表示装置を提供する。【解決手段】複数の発光管３１、３１、・・・を並列に配置してある発光管アレイを、アドレス電極が形成してあるアドレス電極シートと、表示電極が形成してある表示電極シート３５との間に挟持してある発光管アレイ型表示サブモジュール３０、３０、・・・を相互に接続して表示装置を構成する。隣接する発光管アレイ型表示サブモジュール３０、３０間の間隔と、隣接する発光管３１、３１間の間隔とが略一致するように、複数の発光管アレイ型表示サブモジュール３０、３０、・・・を横方向に接続する。【選択図】図２
2010026494.tif 000002
【特許請求の範囲】
【請求項１】
複数の発光管を並列に配置してある発光管アレイを、アドレス電極が形成してあるアドレス電極シートと、表示電極が形成してある表示電極シートとの間に挟持してある発光管アレイ型表示サブモジュールを、隣接する発光管アレイ型表示サブモジュールのそれぞれ最も外側の発光管が隣接するよう相互に接続して構成された表示装置において、
隣接する前記発光管アレイ型表示サブモジュール間の間隔と、各発光管アレイ型表示サブモジュールにおいて隣接する発光管同士の隙間とが略一致するように、複数の前記発光管アレイ型表示サブモジュールを横方向に接続してあることを特徴とする表示装置。
【請求項２】
隣接する前記発光管アレイ型表示サブモジュール間の間隔が、隣接する発光管同士の隙間以下となるようにしてあることを特徴とする請求項１記載の表示装置。
【請求項３】
前記発光管アレイは、赤色（Ｒ）、緑色（Ｇ）、青色（Ｂ）それぞれに対応した蛍光体を内包する３本一組の発光管を、並列に複数組配置してあり、
隣接する前記発光管アレイ型表示サブモジュール間の間隔と、隣接する３本一組の発光管同士の隙間とが略一致するようにしてあることを特徴とする請求項１記載の表示装置。
【請求項４】
隣接する前記発光管アレイ型表示サブモジュール間の間隔が、隣接する３本一組の発光管同士の隙間以下となるようにしてあることを特徴とする請求項３記載の表示装置。
【請求項５】
複数の発光管を並列に配置してある発光管アレイを、アドレス電極が形成してあるアドレス電極シートと、表示電極が形成してある表示電極シートとの間に挟持してある発光管アレイ型表示サブモジュールを相互に接続して構成された表示装置において、
前記発光管アレイは、赤色（Ｒ）、緑色（Ｇ）、青色（Ｂ）それぞれに対応した蛍光体を内包する３本一組の発光管を、並列に複数組配置してサブモジュールフレームに取り付けてあり、
前記サブモジュールフレームの端部では、３本一組の発光管のうち一の発光管が、前記サブモジュールフレームの外側に配置してあることを特徴とする表示装置。
【請求項６】
複数の発光管を並列に配置してある発光管アレイを、アドレス電極が形成してあるアドレス電極シートと、表示電極が形成してある表示電極シートとの間に挟持してある発光管アレイ型表示サブモジュールを相互に接続して構成された表示装置において、
隣接する他の発光管アレイ型表示サブモジュールとの接続部分の輝度を補う輝度補充手段を設けてあることを特徴とする表示装置。
【請求項７】
前記輝度補充手段として、
隣接する他の発光管アレイ型表示サブモジュール側へ光を拡散する光拡散フィルタを、隣接する前記発光管アレイ型表示サブモジュールの接続部分側に設けてあることを特徴とする請求項６記載の表示装置。
【請求項８】
前記輝度補充手段として、
隣接する前記発光管アレイ型表示サブモジュールの接続部分に光を反射する光反射部材を設けてあることを特徴とする請求項６記載の表示装置。
【請求項９】
前記輝度補充手段として、
隣接する前記発光管アレイ型表示サブモジュールの接続部分近傍に配置してある前記発光管の発光輝度を高めるようにしてあることを特徴とする請求項６記載の表示装置。
【請求項１０】
前記輝度補充手段として、
隣接する前記発光管アレイ型表示サブモジュールの接続部分近傍に配置してある前記発光管のサイズが他の発光管よりも大きくなるようにしてあることを特徴とする請求項６記載の表示装置。
【請求項１１】
互いに独立して内部に放電ガスが封入された複数の発光管を並列に配置してある発光管アレイと、各発光管の長手方向に沿ったアドレス電極と、該アドレス電極との交差部にそれぞれ放電セルを画定するよう全ての発光管を横切る方向に延伸する複数の表示電極対で構成された発光管アレイ型表示サブモジュールを、前記表示電極対の延伸方向に複数接続してある表示装置において、
前記発光管アレイ型表示サブモジュールの発光管は、表示電極対に沿って画定されている一又は複数の放電セルで構成される画素間に隙間を設けるよう配置されており、前記隙間の大きさは、隣接する前記発光管アレイ型表示サブモジュールにおける複数の発光管のうち、それぞれ最も外側に配置してある発光管同士の間隔に実質的に一致していることを特徴とする表示装置。
【請求項１２】
前記発光管アレイ型表示サブモジュールの画素間の隙間は、前記表示電極対に沿って画定されている赤色（Ｒ）、緑色（Ｇ）、青色（Ｂ）それぞれに対応した蛍光体を内包する３色の発光管の３つの放電セルを１単位とする画素間ごとに設けてあることを特徴とする請求項１１記載の表示装置。
【請求項１３】
前記画素間の隙間に発光しない管又はロッドを配置してあることを特徴とする請求項１１又は１２記載の表示装置。
【請求項１４】
前記画素間の隙間と、隣接する前記発光管アレイ型表示サブモジュールにおける複数の発光管のうち、それぞれ最も外側に配置してある発光管同士の間隔との差分の、前記隙間又は前記間隔に対する比率が１０％以内であることを特徴とする請求項１１又は１２記載の表示装置。
【請求項１５】
循環的に配置されている赤色（Ｒ）、緑色（Ｇ）、青色（Ｂ）それぞれに対応した蛍光体を内包する３色の発光管を１単位とし、１単位の発光管ごとに対応したアドレス電極がアドレス電極シートに貼付され、１単位の発光管ごとに所定の間隔が設けてあることを特徴とする請求項１２記載の表示装置。
【発明の詳細な説明】
【技術分野】
【０００１】
本発明は、複数の発光管アレイ型表示サブモジュールを互いに接続することで大画面を構成する表示装置に関し、さらに詳しくは、複数の発光管アレイ型表示サブモジュールの接続部分に輝度が低い部分が生じるのを防止することができる表示装置に関する。
【背景技術】
【０００２】
新世代の大画面表示装置を実現する技術として、内部に放電ガスが封入された複数の発光管を並列に配置してある発光管アレイ型表示サブモジュールが開発されている。例えば１ｍ四方の発光管アレイ型表示サブモジュールを複数接続した発光管アレイ型表示システムモジュールを用いて数ｍ×数ｍ規模の大画面表示装置を構築することができる。発光管アレイ型表示サブモジュールを複数接続した形式の表示装置では、ＬＣＤ、ＰＤＰ等のように大型のガラス基板を扱う必要がなく、大規模な設備も不要となり、少ないコストで、画質が均質となる表示装置を提供することができる。
【０００３】
しかし、複数の発光管アレイ型表示サブモジュールを接続する場合、接続部分における位置決めには高い精度が要求される。一枚の発光管アレイ型表示システムモジュールとして高画質を維持するためである。特に隣接する発光管アレイ型表示サブモジュール間には接続部分として無発光領域が生じやすく、周囲と比べて輝度が低い領域が生じることから、接続部分にて画像に黒細線が生じる等の問題が生じやすい。
【０００４】
小型の表示パネルを複数配列させて大画面表示装置を製造する技術としては、例えば特許文献１に開示されているように、位置合わせをした後に位置決め部材を用いて固定し、隣接する表示パネルの画素列間の距離が均等になるようにする表示装置が開示されている。接続部分も含めて画素列間の距離が均等であることから、周囲と比べて輝度が低い領域が生じることがなく、画像に黒細線が生じない。
【先行技術文献】
【特許文献】
【０００５】
【特許文献１】特開２００３−１５００８３号公報
【発明の概要】
【発明が解決しようとする課題】
【０００６】
しかし、特許文献１では、位置決め部材を別個に取り付ける工程を含まない限り、表示パネル内の画素列間の隙間と隣接する表示パネル間の画素列の間隔とを一致させることができず、製造工数の増大を招くという問題点があった。また、表示パネルの周縁部に無発光領域が存在する場合、位置決め部材を用いたとしても画素列の間隔を調整することができない場合も生じうる。
【０００７】
一方、発光管アレイ型表示サブモジュールを横方向に接続する場合、電気的に接続するための表示電極を発光管アレイ型表示サブモジュールのサブモジュールフレームに沿って背面側へと屈曲させる。したがって、屈曲した表示電極が接触する接続部分の間隔は、発光管アレイ型表示サブモジュールの製造工程にて決定する。
【０００８】
本発明は斯かる事情に鑑みてなされたものであり、複数の発光管アレイ型表示サブモジュールを接続した場合であっても、表示される画像を高画質に維持することができる表示装置を提供することを目的とする。
【課題を解決するための手段】
【０００９】
上記目的を達成するために第１発明に係る表示装置は、複数の発光管を並列に配置してある発光管アレイを、アドレス電極が形成してあるアドレス電極シートと、表示電極が形成してある表示電極シートとの間に挟持してある発光管アレイ型表示サブモジュールを、隣接する発光管アレイ型表示サブモジュールのそれぞれ最も外側の発光管が隣接するよう相互に接続して構成された表示装置において、隣接する前記発光管アレイ型表示サブモジュール間の間隔と、各発光管アレイ型表示サブモジュールにおいて隣接する発光管同士の隙間とが略一致するように、複数の前記発光管アレイ型表示サブモジュールを横方向に接続してあることを特徴とする。
【００１０】
第１発明では、複数の発光管を並列に配置してある発光管アレイを、アドレス電極が形成してあるアドレス電極シートと、表示電極が形成してある表示電極シートとの間に挟持してある発光管アレイ型表示サブモジュールを、隣接する発光管アレイ型表示サブモジュールの最も外側の発光管が隣接するよう相互に接続して、表示装置を構成する。隣接する前記発光管アレイ型表示サブモジュール間の間隔と、隣接する発光管同士の隙間とが略一致するように、複数の発光管アレイ型表示サブモジュールを横方向に接続する。隣接する発光管アレイ型表示サブモジュール間の間隔と、隣接する発光管同士の隙間とが略一致することにより、発光管アレイ型表示サブモジュールの接続部分の無発光領域が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００１１】
なお、「発光管アレイ型表示サブモジュール」とは、発光管アレイを含めた上述のような表示フィルム部品であって、駆動回路、電源回路等を含まない表示パネルの半完成品を意味している。また、一又は複数の発光管アレイ型表示サブモジュールに、駆動回路を接続した表示装置の構成部品として「発光管アレイ型表示サブモジュール」、「発光管アレイ型表示システムモジュール」を構成している。
【００１２】
また、第２発明に係る表示装置は、第１発明において、隣接する前記発光管アレイ型表示サブモジュール間の間隔が、隣接する発光管同士の隙間以下となるようにしてあることを特徴とする。
【００１３】
第２発明では、隣接する発光管アレイ型表示サブモジュール間の間隔を、隣接する発光管同士の隙間以下とすることにより、発光管アレイ型表示サブモジュールの接続部分の無発光領域が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００１４】
また、第３発明に係る表示装置は、第１発明において、前記発光管アレイは、赤色（Ｒ）、緑色（Ｇ）、青色（Ｂ）それぞれに対応した蛍光体を内包する３本一組の発光管を、並列に複数組配置してあり、隣接する前記発光管アレイ型表示サブモジュール間の間隔と、隣接する３本一組の発光管同士の隙間とが略一致するようにしてあることを特徴とする。
【００１５】
第３発明では、赤色（Ｒ）、緑色（Ｇ）、青色（Ｂ）それぞれに対応した蛍光体を内包する３本一組の発光管を、並列に複数組配置して発光管アレイを形成する。隣接する発光管アレイ型表示サブモジュール間の間隔と、隣接する３本一組の発光管同士の隙間とが略一致することにより、発光管アレイ型表示サブモジュールの接続部分の無発光領域が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００１６】
また、第４発明に係る表示装置は、第３発明において、隣接する前記発光管アレイ型表示サブモジュール間の間隔が、隣接する３本一組の発光管同士の隙間以下となるようにしてあることを特徴とする。
【００１７】
第４発明では、隣接する発光管アレイ型表示サブモジュール間の間隔を、隣接する３本一組の発光管同士の隙間以下とすることにより、発光管アレイ型表示サブモジュールの接続部分の無発光領域が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００１８】
次に、上記目的を達成するために第５発明に係る表示装置は、複数の発光管を並列に配置してある発光管アレイを、アドレス電極が形成してあるアドレス電極シートと、表示電極が形成してある表示電極シートとの間に挟持してある発光管アレイ型表示サブモジュールを相互に接続して構成された表示装置において、前記発光管アレイは、赤色（Ｒ）、緑色（Ｇ）、青色（Ｂ）それぞれに対応した蛍光体を内包する３本一組の発光管を、並列に複数組配置してサブモジュールフレームに取り付けてあり、前記サブモジュールフレームの端部では、３本一組の発光管のうち一の発光管が、前記サブモジュールフレームの外側に配置してあることを特徴とする。
【００１９】
第５発明では、赤色（Ｒ）、緑色（Ｇ）、青色（Ｂ）それぞれに対応した蛍光体を内包する３本一組の発光管を、並列に複数組配置して発光管アレイを形成する。発光管アレイはサブモジュールフレームに取り付けてあり、サブモジュールフレームの端部では、一組の発光管のうち一の発光管が、サブモジュールフレームの外側に配置してある。これにより、隣接するサブモジュールフレーム間の間隔が、隣接する発光管同士の隙間より大きい場合であっても、一の発光管の大きさ分だけ隣接するサブモジュールフレーム間の間隔を狭めたのと同様の効果を期待することができる。したがって、発光管アレイ型表示サブモジュールをサブモジュールフレームへ固着する位置を精緻に定めなくても、接続部分で黒細線が表示される等の障害が生じない高画質な表示画面を実現する表示装置を提供することが可能となる。
【００２０】
次に、上記目的を達成するために第６発明に係る表示装置は、複数の発光管を並列に配置してある発光管アレイを、アドレス電極が形成してあるアドレス電極シートと、表示電極が形成してある表示電極シートとの間に挟持してある発光管アレイ型表示サブモジュールを相互に接続して構成された表示装置において、隣接する他の発光管アレイ型表示サブモジュールとの接続部分の輝度を補う輝度補充手段を設けてあることを特徴とする。
【００２１】
第６発明では、複数の発光管を並列に配置してある発光管アレイを、アドレス電極が形成してあるアドレス電極シートと、表示電極が形成してある表示電極シートとの間に挟持してある発光管アレイ型表示サブモジュールを相互に接続して、表示装置を構成する。隣接する他の発光管アレイ型表示サブモジュールとの接続部分の輝度を補う輝度補充手段を設けることにより、隣接する発光管アレイ型表示サブモジュール間の間隔が、隣接する発光管同士の隙間より大きい場合であっても、隣接する他の発光管アレイ型表示サブモジュールとの接続部分に輝度を補充することができ、無発光領域が存在しないように見せかけることができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００２２】
また、第７発明に係る表示装置は、第６発明において、前記輝度補充手段として、隣接する他の発光管アレイ型表示サブモジュール側へ光を拡散する光拡散フィルタを、隣接する前記発光管アレイ型表示サブモジュールの接続部分側に設けてあることを特徴とする。
【００２３】
第７発明では、隣接する他の発光管アレイ型表示サブモジュール側へ光を拡散する光拡散フィルタを、隣接する発光管アレイ型表示サブモジュールの接続部分側に設けてある。これにより、隣接する発光管アレイ型表示サブモジュール間の間隔が、隣接する発光管同士の隙間より大きい場合であっても、隣接する他の発光管アレイ型表示サブモジュールとの接続部分側へ光を拡散することができ、無発光領域が存在しないように見せかけることができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００２４】
また、第８発明に係る表示装置は、第６発明において、前記輝度補充手段として、隣接する前記発光管アレイ型表示サブモジュールの接続部分に光を反射する光反射部材を設けてあることを特徴とする。
【００２５】
第８発明では、隣接する発光管アレイ型表示サブモジュールの接続部分に光を反射する光反射部材を設けてある。これにより、隣接する発光管アレイ型表示サブモジュールの端部に位置する発光管が発する光を無発光領域である接続部分にて前面側へ反射させることができ、無発光領域が存在しないように見せかけることができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００２６】
また、第９発明に係る表示装置は、第６発明において、前記輝度補充手段として、隣接する前記発光管アレイ型表示サブモジュールの接続部分近傍に配置してある前記発光管の発光輝度を高めるようにしてあることを特徴とする。
【００２７】
第９発明では、隣接するサブモジュールフレームの接続部分近傍に配置してある発光管の発光輝度を高めることにより、無発光領域が目立たない。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００２８】
また、第１０発明に係る表示装置は、第６発明において、前記輝度補充手段として、隣接する前記発光管アレイ型表示サブモジュールの接続部分近傍に配置してある前記発光管のサイズが他の発光管よりも大きくなるようにしてあることを特徴とする。
【００２９】
第１０発明では、隣接するサブモジュールフレームの接続部分近傍に配置してある発光管のサイズを他の発光管よりも大きくすることにより、接続部分近傍に配置してある発光管の発光輝度が大きくなり、無発光領域が目立たない。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００３０】
次に上記目的を達成するために第１１発明に係る表示装置は、互いに独立して内部に放電ガスが封入された複数の発光管を並列に配置してある発光管アレイと、各発光管の長手方向に沿ったアドレス電極と、該アドレス電極との交差部にそれぞれ放電セルを画定するよう全ての発光管を横切る方向に延伸する複数の表示電極対で構成された発光管アレイ型表示サブモジュールを、前記表示電極対の延伸方向に複数接続してある表示装置において、前記発光管アレイ型表示サブモジュールの発光管は、表示電極対に沿って画定されている一又は複数の放電セルで構成される画素間に隙間を設けるよう配置されており、前記隙間の大きさは、隣接する前記発光管アレイ型表示サブモジュールにおける複数の発光管のうち、それぞれ最も外側に配置してある発光管同士の間隔に実質的に一致していることを特徴とする。
【００３１】
第１１発明では、発光管アレイ型表示サブモジュールの発光管を、表示電極対に沿って画定されている一又は複数の放電セルで構成される画素間に隙間を設けるよう配置し、隙間の大きさを、隣接する発光管アレイ型表示サブモジュールにおける複数の発光管のうち、それぞれ最も外側に配置してある発光管同士の間隔に実質的に一致させることにより、発光管アレイ型表示サブモジュールの接続部分の無発光領域が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００３２】
また、第１２発明に係る表示装置は、第１１発明において、前記発光管アレイ型表示サブモジュールの画素間の隙間は、前記表示電極対に沿って画定されている赤色（Ｒ）、緑色（Ｇ）、青色（Ｂ）それぞれに対応した蛍光体を内包する３色の発光管の３つの放電セルを１単位とする画素間ごとに設けてあることを特徴とする。
【００３３】
第１２発明では、発光管アレイ型表示サブモジュールの画素間の隙間を、表示電極対に沿って画定されている赤色（Ｒ）、緑色（Ｇ）、青色（Ｂ）それぞれに対応した蛍光体を内包する３色の発光管の３つの放電セルを１単位とする画素間ごとに設けることにより、３色に対応した放電セルで形成した画素間の隙間が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００３４】
また、第１３発明に係る表示装置は、第１１又は第１２発明において、前記画素間の隙間に発光しない管又はロッドを配置してあることを特徴とする。
【００３５】
第１３発明では、画素間の隙間に発光しない管又はロッドを配置することにより、発光管アレイ型表示サブモジュールの画素間の隙間と、隣接する発光管アレイ型表示サブモジュールの発光管のうち、互いに最も外側に配置してある発光管同士の間隔とを、容易に実質的に一致させることができ、接続部分で黒細線が表示される等の障害が生じない高画質な表示画面を実現する表示装置を提供することが可能となる。
【００３６】
また、第１４発明に係る表示装置は、第１１又は第１２発明において、前記画素間の隙間と、隣接する前記発光管アレイ型表示サブモジュールにおける複数の発光管のうち、それぞれ最も外側に配置してある発光管同士の間隔との差分の、前記隙間又は前記間隔に対する比率が１０％以内であることを特徴とする。
【００３７】
第１４発明では、画素間の隙間と、隣接する発光管アレイ型表示サブモジュールの発光管のうち、互いに最も外側に配置してある発光管同士の間隔との差分の、隙間又は間隔に対する比率を１０％以内とすることにより、画素間の隙間の大きさを、隣接する発光管アレイ型表示サブモジュールの発光管のうち、それぞれ最も外側に配置してある発光管同士の間隔に実質的に一致させることができ、発光管アレイ型表示サブモジュールの接続部分の無発光領域が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【００３８】
また、第１５発明に係る表示装置は、第１２発明において、循環的に配置されている赤色（Ｒ）、緑色（Ｇ）、青色（Ｂ）それぞれに対応した蛍光体を内包する３色の発光管を１単位とし、１単位の発光管ごとに対応したアドレス電極がアドレス電極シートに貼付され、１単位の発光管ごとに所定の間隔が設けてあることを特徴とする。
【００３９】
第１５発明では、循環的に配置されている赤色（Ｒ）、緑色（Ｇ）、青色（Ｂ）それぞれに対応した蛍光体を内包する３色の発光管を１単位とし、１単位の発光管ごとに対応したアドレス電極がアドレス電極シートに貼付され、１単位の発光管ごとに所定の間隔が設けてある。これにより、隣接する発光管アレイ型表示サブモジュールの発光管のうち、互いに最も外側に配置してある発光管同士の間隔とを、容易に実質的に一致させることができ、接続部分で黒細線が表示される等の障害が生じない高画質な表示画面を実現する表示装置を提供することが可能となる。
【発明の効果】
【００４０】
上記のように、隣接する発光管アレイ型表示サブモジュール間の間隔を、隣接する発光管同士の隙間と略一致させる、又は隣接する発光管アレイ型表示サブモジュール間の間隔を、隣接する発光管同士の隙間以下とすることにより、発光管アレイ型表示サブモジュールの接続部分の無発光領域が目立たず、他の画素を構成する発光管と同等の輝度を維持することができる。したがって、発光管アレイ型表示サブモジュール間の間隔を調整する特段の部材を別個に用いることなく、接続部分で黒細線が表示される等の障害が生じない高画質な表示画面を実現する表示装置を提供することが可能となる。
【図面の簡単な説明】
【００４１】
【図１】本発明の実施の形態１に係る表示装置の発光管アレイ型表示サブモジュールの構成を模式的に示す斜視図である。
【図２】本発明の実施の形態１に係る発光管アレイ型表示サブモジュールの接続部分の構成を模式的に示す、発光管に直交する面での断面図である。
【図３】本発明の実施の形態２に係る発光管アレイ型表示サブモジュールの接続部分の構成を模式的に示す、発光管に直交する面での断面図である。
【図４】本発明の実施の形態３に係る発光管アレイ型表示サブモジュールの接続部分の構成を模式的に示す、発光管に直交する面での断面図である。
【図５】本発明の実施の形態４に係る発光管アレイ型表示サブモジュールの接続部分の構成を模式的に示す、発光管に直交する面での断面図である。
【図６】本発明の実施の形態５に係る発光管アレイ型表示サブモジュールの接続部分の構成を模式的に示す、発光管に直交する面での断面図である。
【図７】本発明の実施の形態６に係る発光管アレイ型表示サブモジュールの接続部分の構成を模式的に示す、発光管に直交する面での断面図である。
【図８】本発明の実施の形態７に係る発光管アレイ型表示サブモジュールの接続部分の構成を模式的に示す、発光管に直交する面での断面図である。
【発明を実施するための形態】
【００４２】
以下に、本発明の実施の形態に係る表示装置について、図面に基づいて詳細に説明する。
【００４３】
（実施の形態１）
図１は、本発明の実施の形態１に係る表示装置の発光管アレイ型表示サブモジュールの構成を模式的に示す斜視図である。図１（ａ）は、発光管アレイ型表示サブモジュールの発光管アレイの構成を模式的に示す斜視図であり、図１（ｂ）は、発光管アレイ型表示サブモジュールの発光管アレイの構成を部分的に示す斜視図であり、図１（ｃ）は、発光管アレイ型表示サブモジュールを縦横に接続した発光管アレイ型表示システムモジュールを示す斜視図である。
【００４４】
図１（ａ）に示すように、本実施の形態１に係る表示装置の発光管アレイ型表示サブモジュール３０は、矩形画面の一部を構成する発光管アレイ型表示サブモジュール３０であることから、矩形形状を有しており、内部に放電ガスが封入された複数の発光管３１、３１、・・・を並列に配置している。発光管３１、３１、・・・はガラス製の放電細管であり、管体となる細管の径は、特に大きさが限定されるものではないが、直径０．５〜５ｍｍ程度であることが望ましい。細管の形状は、円形の断面、扁平楕円状の断面、方形の断面等、どのような形状の断面を有していてもよい。また、発光管３１、３１、・・・の内部にはネオン、キセノン等の放電ガスが所定の割合で所定の圧力で封入されている。
【００４５】
並列に配置された複数の発光管３１、３１、・・・は、各発光管３１の長手方向下面に接するように配設されているアドレス電極３２、３２、・・・を有する背面側のアドレス電極シート３３と、各発光管３１の長手方向の上面を横切る方向に配設されている表示電極３４、３４、・・・を有する表面側の表示電極シート３５とに挟持されている。表示電極シート３５はフレキシブルシートであり、例えばポリカーボネートフィルム、ＰＥＴ（ポリエチレンテレフタレート）フィルム等で構成されている。
【００４６】
複数の表示電極３４、３４、・・・は、表示電極シート３５の内面にストライプ状に配設されており、各発光管３１の上面を横切るように接している。表示電極対を構成する隣接する表示電極３４、３４がＸ電極及びＹ電極として機能し、Ｘ電極とＹ電極との間で発光管３１、３１、・・・内に表示放電を発生させることになる。表示電極３４のパターンは、ストライプ形状のほか、メッシュ状、梯子状、くし歯状等、当該分野で公知のパターンにて形成することができる。また、表示電極３４に用いられる材料としては、例えば、ＩＴＯ（酸化錫ドープ酸化インジウム）、ＳｎＯ2 等の透明な導電性材料や、Ａｇ、Ａｕ、Ａｌ、Ｃｕ、Ｃｒ等の金属の導電性材料が挙げられる。
【００４７】
表示電極３４の形成方法としては、当該分野で公知の各種の方法を適用することができる。例えば、印刷等の厚膜形成技術を用いて形成しても良いし、物理的堆積法又は化学的堆積法からなる薄膜形成技術を用いて形成しても良い。厚膜形成技術としては、スクリーン印刷法等が挙げられる。薄膜形成技術のうち、物理的堆積法としては、蒸着法、スパッタ法等が挙げられる。化学的堆積法としては、熱ＣＶＤ法、光ＣＶＤ法、あるいはプラズマＣＶＤ法等が挙げられる。
【００４８】
アドレス電極３２、３２、・・・は、発光管アレイ型表示サブモジュール３０の背面に、発光管３１、３１、・・・の長手方向に沿って発光管３１ごとに設けられ、対となる表示電極３４、３４、・・・との交差部に発光セルを形成する。アドレス電極３２も、当該分野で公知の各種の材料と方法とを用いて形成することができる。
【００４９】
上記構成において、発光管アレイ型表示サブモジュール３０をカラー表示対応とする場合には、図１（ｂ）に示すように、発光管３１ごとに赤色（Ｒ）用の蛍光体層３６Ｒ、緑色（Ｇ）用の蛍光体層３６Ｇ、青色（Ｂ）用の蛍光体層３６Ｂを有する。ＲＧＢ３色の発光管３１、３１、３１を一組として一つの画素を構成することで、カラー表示に対応することができる。なお、蛍光体層３６は、赤色（Ｒ）用の蛍光体層３６Ｒでは、紫外線照射により赤色発光する（Ｙ、Ｇｄ）ＢＯ3 ：Ｅｕ3+等の蛍光体材料を用いる。緑色（Ｇ）用の蛍光体層３６Ｇでは、緑色発光するＺｎ2 ＳｉＯ4 ：Ｍｎ等の蛍光体材料を用い、青色（Ｂ）用の蛍光体層３６Ｂでは、青色発光するＢａＭｇＡｌ12Ｏ17：Ｅｕ2+等の蛍光体材料を用いる。この場合、発光管アレイ型表示サブモジュール３０のフレキシビリティを増し、かつ組立を容易にするため、ＲＧＢ３色の発光管３本を組にして短冊状の背面側のアドレス電極シート３３に貼り付けた発光管ユニットを作成し、複数の発光管ユニットを表面側の表示電極シート３５に共通に貼り付けてカラー表示用の発光管アレイ型表示サブモジュール３０を製造することが好ましい。
【００５０】
図１（ｃ）では、４枚の発光管アレイ型表示サブモジュール３０、３０、・・・から１枚の大画面用の発光管アレイ型表示システムモジュール４５を構成しており、１枚１枚の発光管アレイ型表示サブモジュール３０は、駆動回路、電源回路等を含まない半完成品である。大画面用の発光管アレイ型表示システムモジュール４５を構成した段階で、全体を一つの表示フィルムとして駆動回路、電源回路等を組み込むことで、発光管アレイ型表示サブモジュール３０、３０、・・・ごとに表示画像の品質のばらつきが少ない大画面用の表示装置を構成することができる。横方向に連結された発光管アレイ型表示サブモジュール３０、３０間は互いの表示電極３４、３４同士を本発明の接続構成で接続することにより共通駆動することができ、縦方向に連結された発光管アレイ型表示サブモジュール３０、３０は、それぞれのアドレス電極３２、３２を画面の上と下に導出してアドレス駆動回路に接続することで、アドレス電極３２、３２同士は接続することなく、上側２個の発光管アレイ型表示サブモジュール３０、３０の画面と下側２個の発光管アレイ型表示サブモジュール３０、３０の画面とを公知のいわゆるデュアルスキャンの手法にて並行して駆動させることができる。
【００５１】
発光管アレイ型表示サブモジュール３０、３０同士の接続部分では、表示電極対３４、３４、・・・を形成する表示電極フィルム層及び電磁波の画面表面からの漏洩を防ぐ電磁波シールド層を屈曲させ、画面背面にて、隣接する発光管アレイ型表示サブモジュール３０、３０の表示電極フィルム層及び電磁波シールド層を、それぞれ電気的に接続する。したがって、発光管アレイ型表示サブモジュール３０、３０同士の接続部分には隙間が必ず発生し、斯かる隙間が大きい場合には無発光領域として画面上では黒細線等が表示される。
【００５２】
本発明では、隣接する発光管アレイ型表示サブモジュール３０、３０間に生じる無発光領域を目立たなくするために、発光管３１、３１間の隙間よりも隣接する発光管アレイ型表示サブモジュール３０、３０間に生じる無発光領域を狭くするように発光管アレイ型表示サブモジュール３０を加工する。図２は、本発明の実施の形態１に係る発光管アレイ型表示サブモジュール３０、３０の接続部分の構成を模式的に示す、発光管３１、３１、・・・に直交する面での断面図である。図２では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を一組として一つの画素を構成している。
【００５３】
図２（ａ）は、本発明の実施の形態に係る発光管アレイ型表示サブモジュール３０、３０の接続部分を模式的に示す部分断面図である。図２（ａ）に示すように、隣接する発光管アレイ型表示サブモジュール３０ａと発光管アレイ型表示サブモジュール３０ｂとを接続する場合、双方の表示電極シート３５（説明を簡単にするため電磁波シールド層、表面保護層等を含む）をサブモジュールフレーム４１、４１に沿って折り曲げ加工し、発光管アレイ型表示サブモジュール３０ａ、３０ｂの背面側へと誘導している。
【００５４】
したがって、隣接する発光管アレイ型表示サブモジュール３０ａと発光管アレイ型表示サブモジュール３０ｂとの間の間隔Ｗ１には、表示電極シート３５の２枚分に相当する幅Ｗ３と一致する無発光領域が存在する。また、３本一組の発光管３１、３１、３１ごとにアドレス電極シート（図示せず）が形成されていることから、隣接する３本一組の発光管３１、３１、３１と３本一組の発光管３１、３１、３１との間には、一定の隙間Ｗ２が生じている。
【００５５】
隣接する発光管アレイ型表示サブモジュール３０ａと発光管アレイ型表示サブモジュール３０ｂとの間の間隔Ｗ１が発光管３１、３１間の隙間Ｗ２と同等、又は隣接する発光管アレイ型表示サブモジュール３０ａと発光管アレイ型表示サブモジュール３０ｂとの間の間隔Ｗ１の方が発光管３１、３１間の隙間Ｗ２よりも短い場合には、表示される画像の画素間の隙間と、接続部分での無発光領域の幅とが略均等になることから、表示される画像では接続部分だけが黒細線として表示されることを回避することができる。
【００５６】
また、隣接する発光管アレイ型表示サブモジュール３０ａと発光管アレイ型表示サブモジュール３０ｂとの間の間隔Ｗ１が発光管３１、３１間の隙間Ｗ２と同等であれば十分であることから、表示電極シート３５、３５の厚みが十分に薄い場合には、屈曲している表示電極シート３５、３５と隣接する発光管３１、３１との位置関係には自由度が生じる。例えば図２（ｂ）に示すように、隣接する発光管アレイ型表示サブモジュール３０ａと発光管アレイ型表示サブモジュール３０ｂとの間の間隔Ｗ１の方が表示電極シート３５の２枚分に相当する幅Ｗ３よりも大きい場合には、隣接する発光管アレイ型表示サブモジュール３０ａ、３０ｂの端部の発光管３１、３１が、いずれも屈曲している表示電極シート３５、３５に接触しないよう配置しても良いし、図２（ｃ）に示すように、隣接する発光管アレイ型表示サブモジュール３０ａ、３０ｂの端部の発光管３１、３１が、屈曲している表示電極シート３５、３５のいずれか一方に接するよう配置しても良い。
【００５７】
以上のように本実施の形態１によれば、相互に接続して発光管アレイ型表示システムモジュール４５を構成する発光管アレイ型表示サブモジュール３０、３０、・・・の製造工程にて、表示電極シート３５の厚みを抑制することにより、隣接する発光管アレイ型表示サブモジュール３０、３０の接続部分の無発光領域が目立たず、他の画素を構成する発光管と同等の輝度を維持することができる。したがって、発光管アレイ型表示サブモジュール３０、３０間の間隔を調整する特段の部材を別個に用いることなく、接続部分で黒細線が表示される等の障害が生じない高画質な表示画面を実現する表示装置を提供することが可能となる。
【００５８】
なお、上述した実施の形態１では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を３本一組として一つの画素を構成した場合について説明しているが、これに限定されるものではなく、発光管３１ごとに独立しており、隣接する発光管アレイ型表示サブモジュール３０ａと発光管アレイ型表示サブモジュール３０ｂとの間の間隔Ｗ１と、発光管３１、３１間の隙間Ｗ２との関係について上述と同様の関係にすることで、同様の効果を奏することができる。
【００５９】
（実施の形態２）
本発明の実施の形態２に係る表示装置の発光管アレイ型表示サブモジュール３０及び発光管アレイ型表示システムモジュール４５の構成は実施の形態１と同様であることから、同一の符号を付することで詳細な説明は省略する。本実施の形態２では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を３本一組として一つの画素を構成した場合に、隣接する発光管アレイ型表示サブモジュール３０ａと発光管アレイ型表示サブモジュール３０ｂとの接続部分に最も近接している３本一組の発光管３１、３１、３１を接続部分側へずらして配置してある点で実施の形態１と相違する。
【００６０】
図３は、本発明の実施の形態２に係る発光管アレイ型表示サブモジュール３０、３０の接続部分の構成を模式的に示す、発光管３１、３１、・・・に直交する面での断面図である。図３（ａ）に示すように、３本一組の発光管３１、３１、３１のサブモジュールフレーム４１側には、アドレス電極（図示せず）が形成されているアドレス電極シート３３が形成されており、アドレス電極シート３３を接着剤等の粘着層を介してサブモジュールフレーム４１に固着している。
【００６１】
本実施の形態２では、３本一組の発光管３１、３１、３１のうち発光管アレイ型表示サブモジュール３０、３０の接続部分に最も近接している発光管３１ａ、３１ｂが、サブモジュールフレーム４１から突出するようにアドレス電極シート３３をずらして固着してある。表示電極シート３５、３５は、サブモジュールフレーム４１、４１の外側に配置されている発光管３１ａ、３１ｂに沿って折り曲げ加工され、発光管アレイ型表示サブモジュール３０ａ、３０ｂの背面側へと誘導されている。
【００６２】
したがって、サブモジュールフレーム４１、４１の端部間の距離が大きい場合であっても、隣接する発光管アレイ型表示サブモジュール３０ａと発光管アレイ型表示サブモジュール３０ｂとの間の間隔Ｗ１は、表示電極シート３５の２枚分に相当する幅Ｗ３にしかならない。また、３本一組の発光管３１、３１、３１ごとにアドレス電極シート３３が形成されていることから、隣接する３本一組の発光管３１、３１、３１と３本一組の発光管３１、３１、３１との間の隙間Ｗ２と隣接する発光管アレイ型表示サブモジュール３０ａと発光管アレイ型表示サブモジュール３０ｂとの間の間隔Ｗ１が同等、又は隣接する発光管アレイ型表示サブモジュール３０ａと発光管アレイ型表示サブモジュール３０ｂとの間の間隔Ｗ１の方が発光管３１、３１間の隙間Ｗ２よりも短い場合には、表示される画像の画素間の隙間と、接続部分での無発光領域の幅とが略均等になることから、表示される画像では接続部分だけが黒細線として表示されることを回避することができる。
【００６３】
また、隣接する発光管アレイ型表示サブモジュール３０ａと発光管アレイ型表示サブモジュール３０ｂとの間の間隔Ｗ１が発光管３１、３１間の隙間Ｗ２と同等であれば十分であることから、表示電極シート３５、３５の厚みが十分に薄い場合には、屈曲している表示電極シート３５、３５と隣接する発光管３１ａ、３１ｂとの位置関係には自由度が生じる。例えば図３（ａ）に示すように、隣接する発光管アレイ型表示サブモジュール３０ａと発光管アレイ型表示サブモジュール３０ｂとの間の間隔Ｗ１より表示電極シート３５の２枚分に相当する幅Ｗ３の方が狭い場合には、隣接する発光管アレイ型表示サブモジュール３０ａ、３０ｂの端部の発光管３１ａ、３１ｂが、いずれも屈曲している表示電極シート３５、３５に接触しないよう配置しても良いし、図３（ｂ）に示すように、隣接する発光管アレイ型表示サブモジュール３０ａ、３０ｂの端部の発光管３１ａ、３１ｂが、屈曲している表示電極シート３５、３５に接するよう配置しても良い。
【００６４】
以上のように本実施の形態２によれば、隣接するサブモジュールフレーム４１、４１間の間隔が、隣接する発光管３１、３１同士の隙間より大きい場合であっても、一の発光管３１の大きさ分だけ隣接するサブモジュールフレーム４１、４１間の間隔を狭めたのと同様の効果を期待することができる。したがって、発光管アレイ型表示サブモジュール３０、３０をサブモジュールフレーム４１、４１へ固着する位置を精緻に定めなくても、接続部分で黒細線が表示される等の障害が生じない高画質な表示画面を実現する表示装置を提供することが可能となる。
【００６５】
（実施の形態３）
本発明の実施の形態３に係る発光管アレイ型表示サブモジュール３０及び発光管アレイ型表示システムモジュール４５の構成は実施の形態１及び２と同様であることから、同一の符号を付することで詳細な説明は省略する。本実施の形態３では、隣接する他の発光管アレイ型表示サブモジュール３０との間の接続部分における無発光領域に対して、輝度を補う輝度補充手段を設けている点で実施の形態１及び２と相違する。本実施の形態３では、輝度補充手段として光拡散フィルタを設けた場合について説明する。
【００６６】
図４は、本発明の実施の形態３に係る発光管アレイ型表示サブモジュール３０、３０の接続部分の構成を模式的に示す、発光管３１、３１、・・・に直交する面での断面図である。図４に示すように、３本一組の発光管３１、３１、３１のサブモジュールフレーム４１側には、アドレス電極（図示せず）が形成されているアドレス電極シート３３が形成されており、アドレス電極シート３３を接着剤等の粘着層を介してサブモジュールフレーム４１に固着している。
【００６７】
本実施の形態３では、３本一組の発光管３１、３１、３１のうち発光管アレイ型表示サブモジュール３０、３０の接続部分に最も近接している発光管３１ａ、３１ｂの散乱光が、隣接する他の発光管アレイ型表示サブモジュール３０側へ拡散するようにしてある光拡散フィルタ４２、４２を隣接する発光管アレイ型表示サブモジュール３０、３０それぞれの前面端部に設けてある。したがって、サブモジュールフレーム４１、４１の端部間の距離が大きい場合であっても、拡散された散乱光によって無発光領域にも一定の輝度が存在するようにすることができ、表示される画像では接続部分だけが黒細線として表示されることを回避することができる。
【００６８】
また、図３に示す隣接する発光管アレイ型表示サブモジュール３０ａと発光管アレイ型表示サブモジュール３０ｂとの間の間隔Ｗ１が発光管３１、３１間の隙間Ｗ２と同等の長さ以上である場合であっても、無発光領域を散乱光にてカバーすることができ、接続部分における画質劣化を抑制することが可能となる。
【００６９】
以上のように本実施の形態３によれば、隣接する発光管アレイ型表示サブモジュール３０、３０間の間隔が、隣接する発光管３１、３１同士の隙間より大きい場合であっても、隣接する他の発光管アレイ型表示サブモジュール３０との接続部分側へ光を拡散することができ、無発光領域が存在しないように見せかけることができる。したがって、発光管アレイ型表示サブモジュール３０、３０の間隔を調整する特段の部材を別個に用いることなく、接続部分で黒細線が表示される等の障害が生じない高画質な表示画面を実現する表示装置を提供することが可能となる。
【００７０】
なお、上述した実施の形態３では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を３本一組として一つの画素を構成した場合について説明しているが、これに限定されるものではなく、発光管３１ごとに独立しており、隣接する発光管アレイ型表示サブモジュール３０ａ、３０ｂに最も近接する発光管３１ａ、３１ｂの散乱光が、それぞれ他の発光管アレイ型表示サブモジュール３０ｂ、３０ａ側へ誘導される構成であれば、同様の効果を奏することができる。
【００７１】
（実施の形態４）
本発明の実施の形態４に係る表示装置の発光管アレイ型表示サブモジュール３０及び発光管アレイ型表示システムモジュール４５の構成は実施の形態１乃至３と同様であることから、同一の符号を付することで詳細な説明は省略する。本実施の形態４では、輝度補充手段として光反射部材を設けている点で実施の形態３と相違する。
【００７２】
図５は、本発明の実施の形態４に係る発光管アレイ型表示サブモジュール３０、３０の接続部分の構成を模式的に示す、発光管３１、３１、・・・に直交する面での断面図である。図５に示すように、３本一組の発光管３１、３１、３１のサブモジュールフレーム４１側には、アドレス電極（図示せず）が形成されているアドレス電極シート３３が形成されており、アドレス電極シート３３を接着剤等の粘着層を介してサブモジュールフレーム４１に固着している。
【００７３】
本実施の形態４では、屈曲してある表示電極シート３５、３５の隙間に、光を反射する光反射部材５１を挟持してある。光反射部材５１を、３本一組の発光管３１、３１、３１が設けてある位置よりも背面側に設けることにより、発光管アレイ型表示サブモジュール３０ａ、３０ｂの接続部分に最も近接している発光管３１ａ、３１ｂの光が、光反射部材５１にて発光管アレイ型表示サブモジュール３０の前面側へ反射される。したがって、サブモジュールフレーム４１、４１の端部間の距離が大きい場合であっても、反射された光によって無発光領域にも一定の輝度が存在するようにすることができ、表示される画像では接続部分だけが黒細線として表示されることを回避することができる。
【００７４】
また、図３に示す隣接する発光管アレイ型表示サブモジュール３０ａと発光管アレイ型表示サブモジュール３０ｂとの間の間隔Ｗ１が発光管３１、３１間の隙間Ｗ２と同等の長さ以上である場合であっても、無発光領域を反射光にてカバーすることができ、接続部分における画質劣化を抑制することが可能となる。
【００７５】
以上のように本実施の形態４によれば、隣接する発光管アレイ型表示サブモジュール３０ａ、３０ｂの端部に位置する発光管３１ａ、３１ｂが発する光を、無発光領域である接続部分にて発光管アレイ型表示サブモジュール３０の前面側へ反射させることができ、無発光領域が存在しないように見せかけることができる。したがって、発光管アレイ型表示サブモジュール３０、３０間の間隔を調整する特段の部材を別個に用いることなく、接続部分で黒細線が表示される等の障害が生じない高画質な表示画面を実現する表示装置を提供することが可能となる。
【００７６】
なお、上述した実施の形態４では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を３本一組として一つの画素を構成した場合について説明しているが、これに限定されるものではなく、発光管３１ごとに独立しており、隣接する発光管アレイ型表示サブモジュール３０ａ、３０ｂに最も近接する発光管３１ａ、３１ｂの反射光を、発光管アレイ型表示サブモジュール３０ａ、３０ｂの前面側へ反射することができる構成であれば、同様の効果を奏することができる。
【００７７】
（実施の形態５）
本発明の実施の形態５に係る表示装置の発光管アレイ型表示サブモジュール３０及び発光管アレイ型表示システムモジュール４５の構成は実施の形態１乃至４と同様であることから、同一の符号を付することで詳細な説明は省略する。本実施の形態５では、輝度補充手段として、接続部分に最も近接している発光管３１ａ、３１ｂの発光輝度を高めている点で実施の形態３及び４と相違する。
【００７８】
図６は、本発明の実施の形態５に係る発光管アレイ型表示サブモジュール３０、３０の接続部分の構成を模式的に示す、発光管３１、３１、・・・に直交する面での断面図である。図６に示すように、３本一組の発光管３１、３１、３１のサブモジュールフレーム４１側には、アドレス電極（図示せず）が形成されているアドレス電極シート３３が形成されており、アドレス電極シート３３を接着剤等の粘着層を介してサブモジュールフレーム４１に固着している。
【００７９】
本実施の形態５では、発光管アレイ型表示サブモジュール３０ａ、３０ｂの接続部分に最も近接している発光管３１ａ、３１ｂの発光輝度を、他の発光管３１、３１、・・・の発光輝度よりも高めるよう、出力電圧を調整している。これにより、発光管アレイ型表示サブモジュール３０ａ、３０ｂの接続部分に最も近接している発光管３１ａ、３１ｂの発光輝度は、他の発光管３１、３１、・・・の発光輝度よりも高くなり、サブモジュールフレーム４１、４１の端部間の距離が大きい場合であっても、無発光領域にも一定の輝度が存在するようにすることができ、表示される画像では接続部分だけが黒細線として表示されることを抑制することができる。
【００８０】
また、図３に示す隣接する発光管アレイ型表示サブモジュール３０ａと発光管アレイ型表示サブモジュール３０ｂとの間の間隔Ｗ１が発光管３１、３１間の隙間Ｗ２と同等の長さ以上である場合であっても、無発光領域を発光管３１ａ、３１ｂの発光輝度にてカバーすることができ、接続部分における画質劣化を抑制することが可能となる。
【００８１】
以上のように本実施の形態５によれば、接続部分近傍に配置してある発光管３１ａ、３１ｂの発光輝度を高めることにより無発光領域が目立たない。したがって、発光管アレイ型表示サブモジュール３０、３０間の間隔を調整する特段の部材を別個に用いることなく、接続部分で黒細線が表示される等の障害が生じない高画質な表示画面を実現する表示装置を提供することが可能となる。
【００８２】
なお、上述した実施の形態５では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を３本一組として一つの画素を構成した場合について説明しているが、これに限定されるものではなく、発光管３１ごとに独立しており、隣接する発光管アレイ型表示サブモジュール３０、３０に最も近接する発光管３１ａ、３１ｂの発光輝度を他の発光管３１、３１、・・・よりも高める構成であれば、同様の効果を奏することができる。
【００８３】
（実施の形態６）
本発明の実施の形態６に係る表示装置の発光管アレイ型表示サブモジュール３０及び発光管アレイ型表示システムモジュール４５の構成は実施の形態１乃至５と同様であることから、同一の符号を付することで詳細な説明は省略する。本実施の形態６では、輝度補充手段として、接続部分に最も近接している発光管３１ａ、３１ｂのサイズ、例えば発光管３１ａ、３１ｂの断面が円環状である場合には管径等を大きくしている点で実施の形態３乃至５と相違する。
【００８４】
図７は、本発明の実施の形態６に係る発光管アレイ型表示サブモジュール３０、３０の接続部分の構成を模式的に示す、発光管３１、３１、・・・に直交する面での断面図である。図７に示すように、一組の発光管３１、３１、３１のサブモジュールフレーム４１側には、アドレス電極（図示せず）が形成されているアドレス電極シート３３が形成されており、アドレス電極シート３３を接着剤等の粘着層を介してサブモジュールフレーム４１に固着している。
【００８５】
本実施の形態６では、発光管アレイ型表示サブモジュール３０ａ、３０ｂの接続部分に最も近接している発光管３１ａ、３１ｂのサイズを、他の発光管３１、３１、・・・のサイズよりも大きくしてある。これにより、発光管アレイ型表示サブモジュール３０ａ、３０ｂの接続部分に最も近接している発光管３１ａ、３１ｂの発光輝度は、他の発光管３１、３１、・・・の発光輝度よりも高くなり、サブモジュールフレーム４１、４１の端部間の距離が大きい場合であっても、無発光領域にも一定の輝度が存在するようにすることができ、表示される画像では接続部分だけが黒細線として表示されることを抑制することができる。
【００８６】
また、図３に示す隣接する発光管アレイ型表示サブモジュール３０ａと発光管アレイ型表示サブモジュール３０ｂとの間の間隔Ｗ１が発光管３１、３１間の隙間Ｗ２と同等の長さ以上である場合であっても、無発光領域を発光管３１ａ、３１ｂの発光輝度にてカバーすることができ、接続部分における画質劣化を抑制することが可能となる。
【００８７】
以上のように本実施の形態６によれば、接続部分近傍に配置してある発光管３１ａ、３１ｂのサイズを大きくすることで発光輝度を高めることにより無発光領域が目立たない。したがって、発光管アレイ型表示サブモジュール３０、３０間の間隔を調整する特段の部材を別個に用いることなく、接続部分で黒細線が表示される等の障害が生じない高画質な表示画面を実現する表示装置を提供することが可能となる。
【００８８】
なお、上述した実施の形態６では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を３本一組として一つの画素を構成した場合について説明しているが、これに限定されるものではなく、発光管３１ごとに独立しており、隣接する発光管アレイ型表示サブモジュール３０、３０に最も近接する発光管３１ａ、３１ｂのサイズを他の発光管３１、３１、・・・よりも大きくする構成であれば、同様の効果を奏することができる。
【００８９】
（実施の形態７）
本発明の実施の形態７に係る表示装置の発光管アレイ型表示サブモジュール３０及び発光管アレイ型表示システムモジュール４５の構成は実施の形態１と同様であることから、同一の符号を付することで詳細な説明は省略する。本実施の形態７では、赤色（Ｒ）用の蛍光体層３６Ｒ、緑色（Ｇ）用の蛍光体層３６Ｇ、青色（Ｂ）用の蛍光体層３６Ｂを有する３色の発光管３１、３１、３１を３本一組（１単位）として一つの画素を構成した場合に、隣接する発光管アレイ型表示サブモジュール３０ａと発光管アレイ型表示サブモジュール３０ｂとの接続部分に最も近接している３本一組の発光管３１、３１、３１の間隔と、画素を構成している３色の発光管３１、３１、３１と３色の発光管３１、３１、３１との間の隙間とが、実質的に一致していれば足りる点で実施の形態１乃至６と相違する。
【００９０】
図８は、本発明の実施の形態７に係る発光管アレイ型表示サブモジュール３０、３０の接続部分の構成を模式的に示す、発光管３１、３１、・・・に直交する面での断面図である。図８に示すように、３本一組の発光管３１、３１、３１のサブモジュールフレーム４１側には、アドレス電極（図示せず）が形成されているアドレス電極シート３３が形成されており、アドレス電極シート３３を接着剤等の粘着層を介してサブモジュールフレーム４１に固着している。
【００９１】
発光管３１、３１、・・・を横切る方向に配置されている複数の表示電極対と、アドレス電極との交差部には、それぞれ放電セルが画定されており、一または複数の放電セルを１単位として画素が形成されている。本実施の形態７では、３本一組の発光管３１、３１、３１を１単位として画素が形成されているが、これに限定されるものではない。
【００９２】
本実施の形態７では、３本一組の発光管３１、３１、３１のうち発光管アレイ型表示サブモジュール３０、３０の接続部分に最も近接している発光管３１ａ、３１ｂが、サブモジュールフレーム４１の端部に略一致するようにアドレス電極シート３３を固着してある。表示電極シート３５、３５は、サブモジュールフレーム４１、４１の外側に配置されている発光管３１ａ、３１ｂに沿って折り曲げ加工され、発光管アレイ型表示サブモジュール３０ａ、３０ｂの背面側へと誘導されている。
【００９３】
隣接する発光管アレイ型表示サブモジュール３０ａと発光管アレイ型表示サブモジュール３０ｂとの間の間隔Ｗ１は、表示電極シート３５の２枚分の厚みに相当する幅、例えば表示電極シート３５の１枚分の厚み１００μｍの２倍、すなわち２００μｍとなる。しかし、隣接する発光管アレイ型表示サブモジュール３０ａ、３０ｂを設置する場合に必要となる余裕隙間、製造上の余裕隙間等の存在により、実際には表示電極シート３５の２枚分の厚みに相当する幅よりも大きくなる。
【００９４】
図８の例では、３本一組の発光管３１、３１、３１ごとにアドレス電極シート３３が形成されていることから、隣接する３本一組の発光管３１、３１、３１と３本一組の発光管３１、３１、３１との間の隙間Ｗ２を、隣接する発光管アレイ型表示サブモジュール３０ａと発光管アレイ型表示サブモジュール３０ｂとを実際に接続した場合に生じる間隔Ｗ１に実質的に一致するように設定する。これにより、表示される画像の画素間の隙間と、接続部分での無発光領域の幅とが略均等になることから、表示される画像では接続部分だけが黒細線として表示されることを回避することができる。
【００９５】
隣接する３本一組の発光管３１、３１、３１と３本一組の発光管３１、３１、３１との間の隙間Ｗ２と、隣接する発光管アレイ型表示サブモジュール３０ａと発光管アレイ型表示サブモジュール３０ｂとを実際に接続した場合に生じる間隔Ｗ１とが実質的に一致するのは、隣接する３本一組の発光管３１、３１、３１と３本一組の発光管３１、３１、３１との間の隙間Ｗ２と、隣接する発光管アレイ型表示サブモジュール３０ａ、３０ｂの発光管３１、３１、・・・のうち、互いに最も外側に配置してある発光管３１ａ、３１ｂ同士の間隔Ｗ１との差分Δ（＝｜Ｗ２−Ｗ１｜）の、隙間Ｗ２又は間隔Ｗ１に対する比率が１０％以内であれば足りる。この範囲内であれば、表示される画像では接続部分だけが黒細線として表示されることを回避することができる。すなわち、差分Δは（式１）の範囲内となるよう隣接する３本一組の発光管３１、３１、３１と３本一組の発光管３１、３１、３１との間の隙間Ｗ２を設定することが好ましい。
【００９６】
｜Ｗ２−Ｗ１｜／Ｗ１＊１００≦１０
｜Ｗ２−Ｗ１｜／Ｗ２＊１００≦１０  ・・・  （式１）
【００９７】
なお、隣接する３本一組の発光管３１、３１、３１と３本一組の発光管３１、３１、３１との間の隙間Ｗ２に、発光しない管又はロッドを配置することが好ましい。隣接する３本一組の発光管３１、３１、３１と３本一組の発光管３１、３１、３１との間の隙間Ｗ２と、隣接する発光管アレイ型表示サブモジュール３０ａと発光管アレイ型表示サブモジュール３０ｂとを実際に接続した場合に生じる間隔Ｗ１とを容易に実質的に一致させることができ、接続部分で黒細線が表示される等の障害が生じない高画質な表示画面を実現する表示装置を提供することが可能となる。
【００９８】
以上のように本実施の形態７によれば、隣接する発光管アレイ型表示サブモジュール３０、３０の接続部分の無発光領域が目立たず、他の画素を構成する発光管３１、３１、・・・と同等の輝度を維持することができる。したがって、発光管アレイ型表示サブモジュール３０、３０間の間隔を調整する特段の部材を別個に用いることなく、接続部分で黒細線が表示される等の障害が生じない高画質な表示画面を実現する表示装置を提供することが可能となる。
【００９９】
なお、上述した実施の形態１乃至７は、それぞれ単独で実施することもできるが、任意の組み合わせで複数の実施の形態を組み合わせて実施することもできることは言うまでもない、また、本発明の趣旨の範囲内であれば上述した実施の形態に限定されるものではなく、多種の変形、置換等が可能である。
【符号の説明】
【０１００】
３０  発光管アレイ型表示サブモジュール
３１  発光管
３２  アドレス電極
３３  アドレス電極シート
３４  表示電極（対）
３５  表示電極シート
４１  サブモジュールフレーム
４２  光拡散フィルタ
４５  発光管アレイ型表示システムモジュール
５１  光反射部材
【図１】
2010026494.tif 000003
【図２】
2010026494.tif 000004
【図３】
2010026494.tif 000005
【図４】
2010026494.tif 000006
【図５】
2010026494.tif 000007
【図６】
2010026494.tif 000008
【図７】
2010026494.tif 000009
【図８】
2010026494.tif 000010